(57)【要約】【課題】  来訪者からの呼び出しに対して居住者が応答する前に、来訪者名と用件を居住者に報知することが可能なインターホン装置を提供する。【解決手段】  玄関子機から呼び出しが成されたら（Ｓ１）、居室親機は音声記憶部に記憶しているメッセージを玄関子機に送出（Ｓ２）し、来訪者に用件等の応答を促す。メッセージに対して来訪者が応答したら、その音声を音声記憶部に録音（Ｓ３）し、親機スピーカから録音した音声を繰り返して報音（Ｓ４）する。この報音を受けて通話ボタンが押されたら報音は停止して通話モードに入る（Ｓ６）。通話ボタンが押されなかったら設定された時間で報音は停止し、待受モードに戻る（Ｓ８）。【選択図】  図３
2007096502.tif 000002
【特許請求の範囲】
【請求項１】
来訪者が居住者を呼び出して通話するための玄関子機と、前記玄関子機からの呼び出しに居住者が応答するための居室親機とを有し、前記居室親機は、前記玄関子機に送出するメッセージを記憶するメッセージ記憶部と、送出された前記メッセージに応答した前記来訪者の音声を録音する録音部と、前記録音部で録音された来訪者の音声を報音するスピーカと、居室親機を制御する制御部とを備え、
前記制御部は、前記玄関子機の呼出操作により生成された呼出信号を検出したら前記玄関子機に対してメッセージを送出し、前記メッセージを受けて録音した前記来訪者の音声を繰り返して前記スピーカから報音する制御をおこなうことを特徴とするインターホン装置。
【請求項２】
前記居室親機は、録音された来訪者音声を前記スピーカから報音する時間又は回数を設定する報音設定部を有し、前記制御部は設定された条件で繰り返して報音する制御をおこなうことを特徴とする請求項１記載のインターホン装置。
【請求項３】
前記居室親機は外出時に設定する外出設定部を備え、前記制御部は、外出設定がなされたときは前記録音部で録音された来訪者の音声を繰り返して前記スピーカから報音する制御を停止することを特徴とする請求項１又は請求項２記載のインターホン装置。
【請求項４】
前記居室親機は時間帯設定部を備え、前記制御部は、前記時間帯設定部で設定された時間帯では前記録音部で録音された来訪者の音声を繰り返して前記スピーカから報音する制御を停止することを特徴とする請求項１乃至３の何れかに記載のインターホン装置。
【発明の詳細な説明】
【技術分野】
【０００１】
本発明はインターホン装置に関し、特に通話することなく来訪者の用件等を居住者が認識可能なインターホン装置に関する。
【背景技術】
【０００２】
玄関子機及び居室親機を備えたインターホン装置は、通常玄関子機から呼び出しに対して居住者が居室親機の通話ボタンを押し、玄関子機と居室親機の間で通話することで居住者は来訪者がどのような人か認識することができる。また、来訪者を撮像するカメラを備えたインターホン装置では、玄関子機で呼び出しが成されたら、カメラが起動して居室親機のモニタに自動的に来訪者映像が写し出されるため、居住者はその映像をみることで来訪者の情報をある程度得た後、通話を実施することができる。
一方で、カメラを備えたインターホン装置においては、特許文献１に記載されているように、来訪者の立ち位置がカメラの視野角外にあるときには、それを検知して来訪者が視野角内に入るように移動を促す音声メッセージを自動で流すよう構成し、来訪者が確実にモニタに映し出されるようにしたものがある。
【０００３】
【特許文献１】特開２００２−２０４３１５号公報
【発明の開示】
【発明が解決しようとする課題】
【０００４】
しかし、上記従来のインターホン装置は、カメラを設けることで居住者は通話前に来訪者の外見を認識することはできるが、通話前に来訪者がどのような用件で来たのかまで知ることはできなかった。また、メッセージを自動で出力するよう構成して来訪者を視認し易くなっても、同様に通話前に来訪者がどのような用件で来たのかまで知ることはできなかった。
そこで、本発明はこのような問題点に鑑み、来訪者からの呼び出しに対して居住者が応答する前に、来訪者名や用件等を居住者が認識することが可能なインターホン装置を提供することを目的とする。
【課題を解決するための手段】
【０００５】
上記課題を解決する為に、請求項１に係るインターホン装置は、来訪者が居住者を呼び出して通話するための玄関子機と、玄関子機からの呼び出しに居住者が応答するための居室親機とを有し、居室親機は、玄関子機に送出するメッセージを記憶するメッセージ記憶部と、送出されたメッセージに応答した来訪者の音声を録音する録音部と、録音部で録音された来訪者の音声を報音するスピーカと、居室親機を制御する制御部とを備え、制御部は、玄関子機の呼出操作により生成された呼出信号を検出したら玄関子機に対してメッセージを送出し、メッセージを受けて録音した来訪者の音声を繰り返してスピーカから報音する制御をおこなうことを特徴とする。
この構成により、来訪者の呼び出しに自動応答し、そのメッセージに対して応答した来訪者の名前や要件等の音声を記憶して繰り返して居室親機が報音するので、居住者が居室親機の近くにいなくても、また通話することなく来訪者の要件等を知ることができる。そのため、居住者は余裕を持って応対することが可能となる。
【０００６】
請求項２の発明は、請求項１に記載の発明において、居室親機は、録音された来訪者音声をスピーカから報音する時間又は回数を設定する報音設定部を有し、制御部は設定された条件で繰り返して報音する制御をおこなうことを特徴とする。
この構成により、居住者が応答できない状態であっても、設定した時間又は繰り返し回数で再生は停止するので、来訪者音声が流れ続けることがない。
【０００７】
請求項３の発明は、請求項１又は２に記載の発明において、居室親機は外出時に設定する外出設定部を備え、制御部は、外出設定がなされたときは録音部で録音された来訪者の音声を繰り返してスピーカから報音する制御を停止することを特徴とする。
この構成により、繰り返し報音動作は外出設定に連動して停止するので、外出時に別途停止操作をする必要がない。尚、ここで言う外出設定とは、防犯センサを能動とする防犯設定や来訪者映像を録画保存する留守録設定等を言う。
【０００８】
請求項４の発明は、請求項１乃至３の何れかに記載の発明において、居室親機は時間帯設定部を備え、制御部は、時間帯設定部で設定された時間帯では録音部で録音された来訪者の音声を繰り返してスピーカから報音する制御を停止することを特徴とする。
この構成により、夜間等好ましくない時間帯では再生動作しないので、利便性が高い。
【発明の効果】
【０００９】
本発明によれば、来訪者の呼び出しに自動応答し、そのメッセージに対して応答した来訪者の名前や要件等の音声を記憶して繰り返して居室親機が報音するので、居住者が居室親機の近くにいなくても、また通話することなく来訪者の要件等を知ることができる。そのため、居住者は余裕を持って応対することが可能となる。
【発明を実施するための最良の形態】
【００１０】
以下、本発明を具体化した実施の形態を、図面に基づいて詳細に説明する。図１は本発明に係るインターホン装置の構成を示し、１は玄関に設置されて来訪者が居住者を呼び出すための玄関子機、１０は居室内に設置されて玄関子機１からの呼び出しに居住者が応答するための居室親機である。玄関子機１は呼出ボタン２、来訪者を撮像するためのカメラ３、マイク４、スピーカ（以下、子機スピーカとする）５を備え、居室親機１０は玄関子機１からの呼び出しに応答するための通話ボタン１１、来訪者を映し出すモニタ１２、マイク１３、スピーカ（以下、親機スピーカとする）１４を備え、双方は信号伝送線６で接続されている。
【００１１】
この居室親機１０は図２のブロック図に示すよう構成され、モニタ１２上に設けられたタッチパネル１５、音声を記憶するための音声記憶部１６、各種設定を記憶する設定記憶部１７、通話ボタン１１とマイク１３と親機スピーカ１４とから成る通話部１８、居室親機１０を制御する親機ＣＰＵ２０、玄関子機１を接続するための親機ＩＦ（インターフェイス）２１を備えている。
【００１２】
タッチパネル１５は各種設定を可能とするもので、例えば外出する際に操作して来訪者があったらカメラ３の撮像映像を録画したり、防犯センサ（図示せず）を能動とする外出設定をすることができる。また、音声記憶部１６はメッセージ記憶部として使用され、例えば「お名前とご用件をお話ください」といったような、来訪者がどのような人でどのような用件で来たのか話して頂くために報音するメッセージが予め録音される。また、この音声記憶部１６はメッセージに応答した来訪者の音声を記憶する録音部としても使用される。
尚、音声記憶部１６に記憶されたメッセージは、居室親機製造時に予め録音しておいても良いし、タッチパネル１５を操作して使用者が自ら録音して作成することも可能となっている。
【００１３】
このように構成されたインターホン装置の動作を図３に示すフローチャートに基づいて説明する。図３は自動応答動作のフローを示し、来訪者が居住者を呼び出すために玄関子機１の呼出ボタン２を操作（Ｓ１）すると、玄関子機１から居室親機１０に呼出信号が送出される。この呼出信号を親機ＩＦ２１を介して親機ＣＰＵ２０が受信したら、通話部１８の親機スピーカ１４から呼出音を報音すると共に、玄関子機１からも呼出確認音を報音させる。また同時に、居室親機１０の図示しない電源供給回路から玄関子機１のカメラ３に対して電源供給が行われ、カメラ３が起動される。そして、撮像を開始したカメラ３の撮像映像が、親機ＩＦ２１を介してモニタ１２にて出画される。
【００１４】
次に、親機ＣＰＵ２０は予め音声記憶部１６に録音してあるメッセージを玄関子機に送出する（Ｓ２）。こうして、玄関子機１の子機スピーカ５から呼出確認音が報音された後、「お名前とご用件をお話ください」といったようなメッセージが出力される。これを聞いた来訪者は、名前と用件、例えば「アイホン太郎です。化粧品の訪問販売に来ました。」と対応することになる。
【００１５】
こうして、メッセージに応答した来訪者の音声は、玄関子機１のマイク４、親機ＩＦ２１を介して音声記憶部１６にて録音される（Ｓ３）。なお、この音声記憶部１６は繰り返し上書きしても良いのでフラッシュＲＯＭ等の不揮発メモリが好適に利用できる。そして、親機ＣＰＵ２０は、この録音した来訪者の音声をすぐに繰り返して通話部１８の親機スピーカ１４から出力して居住者に報音通知する（Ｓ４）。
【００１６】
この報音動作は、予め設定された所定時間の間繰り返して実施され、その途中で居住者により通話ボタン１１が押されて応答操作が成されたら繰り返し報音は停止され、通話モードへ移行する（Ｓ６）。また、所定時間が経過するまでに応答操作がなされなかったら（Ｓ７）、繰り返し報音を停止して呼出操作を待つ待受モードへ移行する（Ｓ８）。
また、上述する外出設定が成されたら、それに連動して外出設定が成されている間は来訪者の音声を繰り返して親機スピーカ１４から報音する制御を停止するよう設定されている。尚、所定時間の設定は、タッチパネル１５の操作により行われ、設定した内容は設定記憶部１７に記憶される。
【００１７】
このように、来訪者の呼び出しに自動応答し、そのメッセージに対して応答した来訪者の名前や要件等の音声を記憶して繰り返して居室親機が報音するので、居住者が居室親機の近くにいなくても、また通話することなく来訪者の要件等を知ることができ、居住者は余裕を持って応対することが可能となる。
また、居住者が応答できない状態であっても、設定した時間で再生は停止するので、来訪者音声が流れ続けることがなく不必要な動作が続くことがない。
更に、繰り返し報音動作は外出設定に連動して停止するので、外出時に別途停止操作をする必要がないし、夜間等好ましくない時間帯では再生動作しないようにでき、利便性が高い。
【００１８】
尚、繰り返し報音動作の設定は、時間設定ではなく回数で設定し、所定回数繰り返したら待受モードに移行させてもよく、時間設定と同様に不必要な動作が続くことがない。
また、上記実施形態は、戸建て住宅対応のインターホン装置を示したが、図４に示すような集合住宅向けのインターホン装置（集合住宅インターホンシステム）に対しても本発明は容易に適用できる。図４において、３１は上記玄関子機１に対応する集合玄関機、３２は居室親機、３３は管理室親機、３４制御機を示し、居室親機３２は上記図２のブロック図に示すような構成のものを使用することができる。こうすることで、上記実施形態と同様に来訪者が集合玄関機３１を操作して特定の居室親機３２に対して呼び出しがなされたら、呼び出しを受けた居室親機３２の親機ＣＰＵが記憶しているメッセージを送出させ、このメッセージに応答した来訪者の音声を記憶して居室親機３２から繰り返して報音することができる。
【図面の簡単な説明】
【００１９】
【図１】本発明の実施形態の一例を示すインターホン装置の構成図である。
【図２】図１の居室親機のブロック図である。
【図３】自動応答動作の流れを示すフローチャートである。
【図４】本発明の他の例を示し、集合住宅に適用したインターホン装置の構成図である。
【符号の説明】
【００２０】
１・・玄関子機、２・・呼出ボタン、５・・子機スピーカ、１０・・居室親機、１１・・通話ボタン、１２・・モニタ、１４・・親機スピーカ、１５・・タッチパネル（報音設定部、外出設定部、時間帯設定部）、１６・・音声記憶部（メッセージ記憶部、録音部）、１７・・設定記憶部、１８・・通話部、２０・・親機ＣＰＵ（制御部）、３１・・集合玄関機（玄関子機）、３２・・居室親機。
【図１】
2007096502.tif 000003
【図２】
2007096502.tif 000004
【図３】
2007096502.tif 000005
【図４】
2007096502.tif 000006